(57)【特許請求の範囲】
【請求項１】
床に形成された開口を当該床の下方側から開閉扉によって開閉する開閉装置において、上記床の下方側であって上記開口の両側に長手方向に沿って配在した一対のガイドレールと、このガイドレールに連繋輪を介して移動自在に連繋された二つの開閉扉と、上記二つの開閉扉を開閉する駆動機構とからなり、上記二つの開閉扉を互いに反対方向に移動する短い開閉扉と、この短い開閉扉の２倍の長さの長い開閉扉とで構成し、上記駆動機構を単一の駆動源と、この駆動源に連繋されてそれぞれ上記長い開閉扉と短い開閉扉をそれぞれ反対方向に移動させる第１の牽引体及び第２の牽引体とで構成し、駆動源の駆動時に上記第１の牽引体と長い開閉扉の移動速度を上記第２の牽引体と上記短い開閉扉の移動速度の２倍に設定させていることを特徴とする開閉装置。
【発明の詳細な説明】
【０００１】
【発明の属する技術分野】
この発明は、劇場の舞台床に設けられて舞台床の下方に設けられる迫りにおける迫り床を嵌装させる開口を開閉する開閉装置の改良に関する。
【０００２】
【従来技術とその課題】
たとえば、多くの劇場では、床たる舞台床の下方となる奈落にこの奈落と舞台床上との間における人や物の往来を可能にする昇降装置たる迫りが設けられるとしており、したがって、舞台床には、迫りにおける昇降床たる迫り床を嵌装させる開口が形成されてなるとしている。
【０００３】
それゆえ、舞台床に迫り床を嵌装させる開口を有する場合には、迫り床が下降しているときに、舞台床に出現する開口を適宜の手段で閉塞することが肝要になり、そのため、従来から、この舞台床の開口を開閉する種々の開閉装置の提案がある。
【０００４】
たとえば、図４に示す観音開き態様の二枚の開閉扉１を舞台床２の下方側で揺動させる提案にあっては、開閉扉１の揺動だけで開口２ａの開閉が可能になる利点があるが、その揺動時には、その開閉扉１が下方の迫りにおける迫り床３に干渉しないことを要請されるから、迫り床３がかなり下降してからでないと、開口２ａを開閉し得ない不具合がある。
【０００５】
それに対して、図５に示す舞台床２の下方側に折り畳み収納されているシート類４を引き伸ばして開口２ａを閉塞する提案にあっては、上記した開閉扉１の揺動の場合に比較して、迫り床３が僅かでも下降すれば、開口２ａの開閉が可能になるが、その反面、開口２ａが大きくなるのに伴って、シート類４の折り畳み収納長さも大きくなり、それゆえ、このシート類４の円滑な引き伸ばしと折り畳み収納を保障し難くなる不具合がある。
【０００６】
この発明は、上記した事情を鑑みて創案されたものであって、その目的とするところは、開口を開閉する所定の機能を発揮するのはもちろんのこと、簡単な構成にして設置を容易にし、かつ、膨大な維持費を要することなく利用でき、その汎用性の向上を期待するのに最適となる開閉装置を提供することである。
【０００７】
【課題を解決するための手段】
上記の目的を達成するため、本発明の手段は、床に形成された開口を当該床の下方側から開閉扉によって開閉する開閉装置において、上記床の下方側であって上記開口の両側に長手方向に沿って配在した一対のガイドレールと、このガイドレールに連繋輪を介して移動自在に連繋された二つの開閉扉と、上記二つの開閉扉を開閉する駆動機構とからなり、上記二つの開閉扉を互いに反対方向に移動する短い開閉扉と、この短い開閉扉の２倍の長さの長い開閉扉とで構成し、上記駆動機構を単一の駆動源と、この駆動源に連繋されてそれぞれ上記長い開閉扉と短い開閉扉をそれぞれ反対方向に移動させる第１の牽引体及び第２の牽引体とで構成し、駆動源の駆動時に上記第１の牽引体と長い開閉扉の移動速度を上記第２の牽引体と上記短い開閉扉の移動速度の２倍に設定させていることを特徴とするものである。
【０００９】
【発明の実施の形態】
以下本発明の実施の形態を図に基づいて説明する。
本発明の開閉装置は劇場における舞台に具現化されており、これは、図１、図２に示すように、床たる舞台床２に形成された開口２aを当該床の下方側から開閉扉５，６によって開閉する開閉装置である。
そして、この開閉装置は、上記床の下方側であって上記開口２aの両側に長手方向に沿って配在した一対のガイドレール７，７と、このガイドレール７，７に連繋輪５a、６aを介してそれぞれ移動自在に連繋された二つの開閉扉５，６と、上記二つの開閉扉５，６を開閉する駆動機構１０とからなるものである。更に、上記二つの開閉扉５，６を互いに反対方向に移動する短い開閉扉６と、この短い開閉扉６の２倍の長さの長い開閉扉５とで構成し、上記駆動機構１０を単一の駆動源１１と、この駆動源１１に連繋されてそれぞれ上記長い開閉扉５と短い開閉扉６をそれぞれ反対方向に移動させる第１の牽引体１２a及び第２の牽引体１２ｂとで構成している。更に又、駆動源１０の駆動時に上記第１の牽引体１２aと長い開閉扉５の移動速度を上記第２の牽引体１２ｂと上記短い開閉扉６の移動速度の２倍に設定させていることを特徴とする。
以下更に詳しく説明する。
【００１０】
ちなみに、開口２ａは、前記した図４および図５に示すように、各図中で右側となる客席側から見る舞台床２において、間口方向となる左右方向が長手方向になるいわゆる横長に形成されている。
【００１１】
そして、この開口２ａは、昇降装置たる迫りにおける迫り床３（図４および図５参照）が最上昇して嵌装されることでも閉塞されるとしている。
【００１２】
なお、迫りについては、迫り床３を昇降させる手段について種々の提案があるが、ここでは、迫りがこの発明における要部にならないから、その詳しい説明を省略する。
【００１３】
ところで、長短二枚の開閉扉５，６は、舞台床２の下方側にあって、開口２ａにおける長手方向に沿って配在され開口２ａにおける短手方向で一対となるガイドレール７に連繋されていながら、駆動機構１０によって、図１中および図２中において、左右側から遠近するとしている。
【００１４】
そして、この長短二枚の開閉扉５，６における長さは、短い開閉扉６の横長さに対して、長い開閉扉５の横長さがほぼ倍になるとしており、この長い開閉扉５を形成する際には、たとえば、二枚の短い開閉扉６を適宜の手段で連結して長くするとしても良い。
【００１５】
このように、図示するところにあって、開閉扉が長短二枚の開閉扉５，６からなるとするのは、舞台床２の下方側であって開口２ａを挟む左右に各開閉扉を収納させるのに十分となる同じ長さの収納スペースを確保できない場合の具現化に適するように配慮した結果である。
【００１６】
それゆえ、図示しないが、舞台床２の下方側であって開口２ａを挟む左右に各開閉扉を収納させるのに十分となる同じ長さの収納スペースを確保できる場合には、各開閉扉の長さを同じにし、かつ、後述する駆動機構１０とは別の構成からなる倍速運動を実現しない駆動手段で開閉作動されれば足りる。
【００１７】
また、この長短二枚の開閉扉５，６は、一対のガイドレール７に連繋されているが、これによって、前記した図４に示す従来の開閉扉１が片持ち構造に構成されていることに比較して、いわゆる両側での支持構造となるから、上方からの作用力に対して大きい耐久力の発揮を期待できることになる。
【００１８】
ちなみに、一対のガイドレール７は、図示しないが、適宜の手段で舞台床２の裏面側に固定状態に保持されている。
【００１９】
また、各開閉扉５，６は、それぞれの両側部に保持された車輪などの連繋輪５ａ，６ａがガイドレール７にいわゆる脱輪防止構造下に連繋されることで、それぞれガイドレール７に対して移動可能とされている。
【００２０】
さらに、各開閉扉５，６は、基本的には、上記した上方からの作用力に対して大きい耐久力を発揮できる、すなわち、所定の機械的強度を有する限りに、任意の構造に形成されて良い。
【００２１】
そして、たとえば、鋼材などからなる矩形フレームに金網を張った防護ネット態様に形成される場合には、軽量にして強度を期待でき、しかも、通気性や可視性を確保できる点で有利となる。
【００２２】
ところで、この開閉装置にあっては、長短二枚の開閉扉５，６は、駆動機構１０によって、開閉駆動されるが、このとき、駆動機構１０は、短い開閉扉６の移動速度に対して長い開閉扉５の移動速度が倍になる倍速運動を実現するとしている。
【００２３】
そして、以下には、この倍速運動を実現する駆動機構１０の構成について説明するが、まず、図２に示すように、長短二枚の開閉扉５，６は、単一の駆動源１１の駆動で移動するワイヤーなどからなる牽引体１２に連結されてなるとしている。
【００２４】
ちなみに、この駆動機構１０による場合には、開口２ａを開放した後の長短二枚の開閉扉５，６は、図中に仮想線図で示すように、それぞれ舞台床２の下方側にあって、開口２ａに露呈しない位置まで後退するとしている。
【００２５】
まず、駆動源１１は、舞台床２の裏面側やガイドフレーム７などの固定側Ｂに配設されてなるもので、詳しくは図示しないが、電動モーターで駆動する減速機付きのウィンチからなるとしており、牽引体１２は、このウィンチに介装されてなるとしている。
【００２６】
なお、駆動源１１は、図示しないが、電動モーターに代えて油圧モーターを有してなるとしてもよく、また、牽引体１２は、同じく図示しないが、ワイヤーからなることに代えて、チェーンからなるとしても良く、その場合には、駆動源１１は、チェーンを噛合させるスプロケットを有する構造に設定される。
【００２７】
ところで、上記の牽引体１２は、図示するところにあって、二系統となる第一の牽引体１２ａと、第二の牽引体１２ｂとに分けられて駆動源１１に連繋されていて、第一の牽引体１２ａが長い開閉扉５を移動させ、第二の牽引体１２ｂが短いい開閉扉６を移動させるとしている。
【００２８】
図３は、上記した二系統となる第一の牽引体１２ａおよび第二の牽引体１２ｂにおける掛け廻し状態を示すもので、以下には、これについて少し説明する。
【００２９】
すなわち、まず、各牽引体１２ａ，１２ｂは、それぞれいわゆる中間部で折り曲げられる、すなわち、Ｕターンされるとしており、このときに、Ｕターン部分は、スプリング１３の介在下に固定側Ｂに連結されるとし、各牽引体１２ａ，１２ｂにおけるいたずらな弛みの発生があらかじめ阻止されている。
【００３０】
一方、第一の牽引体１２ａにおける両端は、ブラケット１４の介在下に長い開閉扉５に連結、すなわち、根止めされており、第二の牽引体１２ｂにおける両端は、ターンバックル１５で連結されていわゆるエンドレスにされながら固定側Ｂに連結、すなわち、根止めされている。
【００３１】
このとき、第二の牽引体１２ｂの中間部は、短い開閉扉６に保持された二個のプーリー１６に別々に介装されて折り曲げられていて、第一の牽引体１２ａにおけるよりも折り曲げ数を多くしている。
【００３２】
その結果、第一の牽引体１２ａが駆動源１１の駆動によってこの駆動源１１部分での時間当たりの移動量を１とするときに、長い開閉扉５の移動量が１：１となるのに対して、第二の牽引体１２ｂにあっては、短い開閉扉６の移動量が１：１／２とされることになり、したがって、短い開閉扉６の移動速度に対して長い開閉扉５の移動速度が倍になる、すなわち、倍速運動が実現されることになる。
【００３３】
ちなみに、上記のように構成された駆動機構１０は、以下のように作動することになる。
【００３４】
すなわち、図３に示すところが各開閉扉５，６による開口２ａを開放している状態と仮定し、この状態で駆動源１１を矢印ａで示す一方向に駆動すると、第一の牽引体１２ａが矢印ｂで示す方向に、また、第二の牽引体１２ｂが矢印ｃで示す方向にそれぞれ移動することになる。
【００３５】
その結果、長い開閉扉５が図３中で左方向に移動することになると共に、短い開閉扉６が図３中で右方向に移動することになり、その結果、開閉扉５，６が開口２ａを閉鎖することになる。
【００３６】
ちなみに、上記したところから駆動源１１を逆方向に駆動すれば、開閉扉５，６が開口２ａを開放することになる。
【００３７】
【発明の効果】
以上のように、請求項１の発明によれば、二枚となる開閉扉が一対のガイドレールに連繋されるから、開閉扉が片持ち構造に構成されている場合に比較して、いわゆる両側支持構造となり、上方からの作用力に対して大きい耐久力の発揮を期待できることになる。
【００３８】
また、二枚の開閉扉は、ガイドレールに副ってそのまま水平移動するから、シート類を折り畳むようにして収納する際にシート類の引き伸ばしや折り畳み収納が円滑に実現されなくなる危惧がある場合に比較して、円滑な移動たる引き出しおよび引き込みが容易になる。
【００３９】
更に、請求項１の発明によれば、舞台床等の床の下方側であって開口を挟む左右に二つの開閉扉を収納させるのに十分となる同じ長さの収納スペースを確保出来ない場合に最適である。
【００４０】
その結果、この発明にあっては、所定の開閉機能を発揮するのはもちろんのこと、簡単な構成にして設置を容易にし、かつ、膨大な維持費を要することなく利用でき、その汎用性の向上を期待するのに最適となる。
【図面の簡単な説明】
【図１】この発明の一実施形態による開閉装置を概略的に示す縦断面図である。
【図２】床を撤去した状態で図１の開閉装置を概略的に示す平面図である。
【図３】駆動機構を概略的に示す斜視図である。
【図４】従来の開閉扉の開閉状態を示す部分概略斜視図である。
【図５】従来の開閉扉の開閉状態を図４と同様に示す図である。
【符号の説明】
２  床たる舞台床
２ａ  開口
３  昇降装置たる迫りにおける昇降床たる迫り床
５  長い開閉扉
５ａ，６ａ  連繋輪
６  短い開閉扉
７  ガイドレール
１０  駆動機構
１１  駆動源
１２  牽引体
１２ａ  第一の牽引体
１２ｂ  第二の牽引体
１３  スプリング
１４  ブラケット
１５  ターンバックル
１６  プーリー
Ｂ  固定側
【図１】
0003781997.tif 000002
【図２】
0003781997.tif 000003
【図３】
0003781997.tif 000004
【図４】
0003781997.tif 000005
【図５】
0003781997.tif 000006